(57)【特許請求の範囲】
【請求項１】
加熱調理器の上方に設置されたフード本体と、前記フード本体を介して吸引した室内の空気を外部に排出する排気装置と、外部の空気を室内に導入する給気チャンバーを有する給気装置とを備えた同時給排気式のレンジフードにおいて、前記給気チャンバーを、左右方向が長く高さの低い略四角箱状の水平チャンバー部と、前記水平チャンバー部の両側部から上方に延び外側面が前記水平チャンバー部の底面に直交する垂直面に形成された箱状の一対の垂直チャンバー部とで構成して、前記水平チャンバーの上面における中央および前記一対の垂直チャンバーの外側面に給気電動シャッターに接続できる接続用穴部を設け、前記フード本体の上面における前部側部分を、前部側下方に向って下降する形状に形成するとともに、前記給気チャンバーを、前記フード本体の上面における前記前部側部分の後部側に設置し、前記給気チャンバーの前面における前記前部側部分の近傍に前記前部側部分に沿って左右方向に延びる給気口を設け、外部の空気を前記給気口から室内に導入したときに、その空気が前記フード本体の前部側部分の上面に沿って下方に流れるエアカーテンとなって、前記フード本体内に吸引される室内の空気が前記フード本体から漏れることを防止するようにしたことを特徴とするレンジフード。
【請求項２】
前記前部側部分を、上面を突出させた状態で上方から前部側下方に向かって湾曲した曲面部に形成したことを特徴とする請求項１に記載のレンジフード。
【請求項３】
前記フード本体の上面における前記前部側部分の後部側に、前記フード本体の上面後部側部分を囲う所定高さを備えた枠状のダクトカバーを設置し、前記ダクトカバーの前面における下部側部分に前記給気口から送り出される空気を前記前部側部分側に案内する複数の給気穴を設けた請求項１又は２に記載のレンジフード。
【請求項４】
前記ダクトカバーを、カバー本体と、前記カバー本体の上端部から進退することにより前記ダクトカバーの上端部の位置を調節可能にする高さ調整カバーとで構成した請求項３に記載のレンジフード。
【発明の詳細な説明】
【技術分野】
【０００１】
本発明は、調理時に室内で発生する油煙等を外部に排出するとともに、外部の空気を室内に導入するレンジフードに関する。
【背景技術】
【０００２】
従来から、厨房内の壁面や天井面における加熱調理器の上方部分には、レンジフードが設置されて調理時に室内で発生する油煙等を外部に排出するとともに、外部のきれいな空気を室内に導入して室内が負圧にならないようにしている（例えば、特許文献１参照）。このレンジフードは、排気ファンを備えた箱体からなるフードを備えている。
【０００３】
そして、フード本体に向かって外部からの空気が吐出するように調理台の前方に給気吐出口を設け、この給気吐出口から吐出された外部の空気が調理時に発生した油煙等を含んだ空気ととともにフード本体から外部に排出されるように構成されている。
【特許文献１】特開平６−２０７７２９号公報
【発明の開示】
【０００４】
しかしながら、前述した従来のレンジフードでは、調理台の前方に設けられた給気吐出口から上方のフード本体に向けて空気を吐出するため、油煙等を含んだ空気が上昇していくうちにフード本体から漏れやすいという問題がある。
【０００５】
本発明は、前述した問題に対処するためになされたもので、その目的は、油煙等を含む空気がフード本体から漏れることを効率的に抑制し、効果的な換気ができるレンジフードを提供することである。
【０００６】
前述した目的を達成するため、本発明に係るレンジフードの構成上の特徴は、加熱調理器の上方に設置されたフード本体と、フード本体を介して吸引した室内の空気を外部に排出する排気装置と、外部の空気を室内に導入する給気チャンバーを有する給気装置とを備えた同時給排気式のレンジフードにおいて、給気チャンバーを、左右方向が長く高さの低い略四角箱状の水平チャンバー部と、水平チャンバー部の両側部から上方に延び外側面が水平チャンバー部の底面に直交する垂直面に形成された箱状の一対の垂直チャンバー部とで構成して、水平チャンバーの上面における中央および一対の垂直チャンバーの外側面に給気電動シャッターに接続できる接続用穴部を設け、フード本体の上面における前部側部分を、前部側下方に向って下降する形状に形成するとともに、給気チャンバーを、フード本体の上面における前部側部分の後部側に設置し、給気チャンバーの前面における前部側部分の近傍に前部側部分に沿って左右方向に延びる給気口を設け、外部の空気を給気口から室内に導入したときに、その空気がフード本体の前部側部分の上面に沿って下方に流れるエアカーテンとなって、フード本体内に吸引される室内の空気がフード本体から漏れることを防止するようにしたことにある。
【０００７】
前述したように構成した本発明のレンジフードは、フード本体の上面前部側部分を、前部側下方に向って下降する形状に形成し、フード本体の上面における前部側部分の後部側に左右方向に延びる給気口を備えた給気チャンバーを設けたため、外部の空気が給気口から室内に導入されてきたときに、その空気はフード本体の前部側部分の上面に沿って下方に流れる。
【０００８】
このため、フード本体の前部下方には、エアカーテンが形成され、このエアカーテンによってフード本体の下方からフード本体内に吸引される油煙等を含む室内の空気がフード本体の開口から漏れることが防止される。また、給気口から室内に導入される外部の空気は通常は冷気であって、室内の空気よりも温度が低いため、加熱調理器から上昇してくる油煙等を含む空気を上方から押さえ込むようになってより確実に油煙等を含む空気をガードしてフード本体の内部側に付勢する。
【０００９】
また、本発明に係るレンジフードの他の構成上の特徴は、前部側部分を、上面を突出させた状態で上方から前部側下方に向かって湾曲した曲面部に形成したことにある。このため、給気口から室内に導入された空気が前部側部分により沿い易くなるため、フード本体の前部下方に、より効果的にエアカーテンを形成することができる。
【００１０】
また、本発明に係るレンジフードのさらに他の構成上の特徴は、フード本体の上面における前部側部分の後部側に、フード本体の上面後部側部分を囲う所定高さを備えた枠状のダクトカバーを設置し、ダクトカバーの前面における下部側部分に給気口から送り出される空気を前部側部分に案内する複数の給気穴を設けたことにある。
【００１１】
フード本体の後部側部分の上面には、給気装置や排気装置の一部が設置されるが、フード本体の後部上面にダクトカバーを設置することにより、給気装置や排気装置が外部側から見えなくなり美観が向上するようになる。また、ダクトカバーにおける給気装置の一部を構成する給気チャンバーの給気口の前部に対応する部分に、複数の給気穴を設けているため、給気チャンバーの給気口から吐出される空気が給気穴を介して確実にフード本体の前部上面の前部側部分に流れるようになり、適正なエアカーテンを形成することができる。このため、油煙等を含む室内の空気を確実にフード本体の内部に導くことができる。
【００１２】
また、本発明に係るレンジフードのさらに他の構成上の特徴は、ダクトカバーを、カバー本体と、カバー本体の上端部から進退することによりダクトカバーの上端部の位置を調節可能にする高さ調整カバーとで構成したことにある。
【００１３】
これによると、レンジフードを取り付ける場合に、ダクトカバーの上端部と天井面との間に隙間が生じることを防止できる。すなわち、フード本体の上面と天井面との間の長さが大きいときには、カバー本体の上端部から高さ調整カバーを大きく上方に突出させることによりダクトカバーの上端部と天井面との間の隙間をなくすことができる。また、フード本体の上面と天井面との間の長さが小さいときには、カバー本体の上端部から高さ調整カバーを少し上方に突出させるかまたは突出させないままにしておくことによりダクトカバーの上端部と天井面との間の隙間をなくすことができる。
【発明を実施するための最良の形態】
【００１４】
以下、本発明の一実施形態に係るレンジフードを、図面を用いて詳しく説明する。図１は、台所に設けられたキッチンユニット１０およびその上方に設置された同実施形態に係るレンジフード２０を示している。このキッチンユニット１０は、壁面１１に沿って配置されており、左右方向の幅が長くなった矩形の箱状に形成されている。また、キッチンユニット１０の上面は板状のカウンター１２で構成されており、そのカウンター１２の上面における一端側に、加熱調理器としてのガスレンジ１３の上部に設けられている加熱部１３ａが配置されている。また、カウンター１２の上面におけるガスレンジ１３の他端側には、水栓１４を備えたシンク１５が設けられている。そして、キッチンユニット１０内には、各種の収容部が形成されその表面に扉１６ａや引き出し１６ｂ等が設けられている。
【００１５】
また、壁面１１におけるガスレンジ１３の上方には、ガスレンジ１３の加熱部１３ａに対向するようにしてレンジフード２０が設置されている。このレンジフード２０は、フード本体２１と、給排気ボックス２５とを備えており、フード本体２１と給排気ボックス２５との内部には、図２ないし図４に示したように、室内の空気を外部に排出するための排気装置３０と、外部の空気を室内に導入するための給気装置４０とが収納されている。なお、図１では省略しているが、キッチンユニット１０とレンジフード２０との右側には、壁面１１と直交する壁面１７（図５参照）が位置している。
【００１６】
フード本体２１の外郭部２２は、間隔を保って平行に配置された側面部２２ａ，２２ｂと、側面部２２ａ，２２ｂに掛け渡された状態で、側面部２２ａ，２２ｂの前端縁部から上縁部の後端に延びたのちに後部下端に向って延びるカバー２２ｃとで構成されている。そして、フード本体２１の内面は、図５および図６に示したように、側面部２２ａ，２２ｂに掛け渡された状態でカバー２２ｃの前部の曲面部ＫＭと上部の平面部ＨＭとの境界部からカバー２２ｃの後部下端に延びる案内板２３で構成されている。側面部２２ａ，２２ｂは、側面から見た状態で、後部側が前後方向にやや長い略四角形で、前部側上部が円形を略１／４に分割した形状に形成され、下端縁部が前端部から後部側に向かう細長い下り傾斜面に形成されている。
【００１７】
また、カバー２２ｃは、側面部２２ａ，２２ｂの前部側上部の縁部に沿って上面側を突出させた状態で湾曲して後方に延びたのちに側面部２２ａ，２２ｂの上縁部に沿って後方に延び、さらに側面部２２ａ，２２ｂの後縁部に沿って下方に延びる板状体で構成されている。そして、案内板２３は、カバー２２ｃとの連結部（カバー２２ｃの曲面部ＫＭと平面部ＨＭとの境界部）から、後方そして下方に上面を突出させるようにして円弧を描くように延びたのちにさらに下面を突出させるように湾曲して後方に向って滑らかに延びる流線形の板状体で構成されている。したがって、フード本体２１の下端部は、ガスレンジ１３に向って開口し、フード本体２１の下面は上方に向って窪んだ凹部に形成されている。
【００１８】
そして、ガスレンジ１３の使用により油煙等が生じ、その油煙等が上昇してくると、油煙等は案内板２３やカバー２２ｃの曲面部ＫＭによって、フード本体２１の内面における上部前側部分に導かれる。また、側面部２２ａ，２２ｂは、内部に空間部（図示せず）が形成された所定の幅を備えたパネルで構成されており、それぞれの内面の前部側部分に穴部が形成され、その穴部にフィルター２４が取り付けられている。
【００１９】
そして、案内板２３の下部中央には、照明具２３ａが取り付けられ、側面部２２ｂの下面における前部側には、各種のスイッチ等を備えた操作パネル２３ｂが取り付けられている。また、側面部２２ａ，２２ｂの内部の空間は、側面部２２ａ，２２ｂ、カバー２２ｃおよび案内板２３で囲まれるフード本体２１内の後部の空間部に連通しており、その空間部内におけるカバー２２ｃの後面部の内面に、モータ３１ａとシロッコファン３１ｂとを備えた吸引装置３１が取り付けられている。
【００２０】
給排気ボックス２５は、図７および図８に示したように、複数のフレーム部材を組み付けて矩形の枠状に形成したフレーム２６と、フレーム２６の一方の面（図７および図８の右側面で壁面１７に対向する面）を除く周面を覆うダクトカバー２７とで構成されている。フレーム２６は、固定部材（図示せず）によってフード本体２１の平面部ＨＭに固定されており、ダクトカバー２７は、フレーム２６に対して左側から右側にスライドさせることによりフレーム２６に取付可能になっている。また、フレーム２６の前面下部には、切欠き凹部２６ａを備えたフレームサイド２６ｂが固定されている。
【００２１】
ダクトカバー２７は、平面視がともにコ字状に形成されたカバー本体２７ａと、カバー本体２７ａの上端部から上方に突出可能な状態でカバー本体２７ａに組み付けられた高さ調整カバー２７ｂとで構成されている。そして、カバー本体２７ａの前面下部におけるフレームサイド２６ｂの切欠き凹部２６ａに対応する部分には、複数の給気穴２８ａが形成され、カバー本体２７ａの後面下部にも同様の給気穴２８ｂが形成されている。
【００２２】
また、カバー本体２７ａの前面および後面のそれぞれの内面における両側部分には、それぞれ上下に延びるスライドストッパー２７ｃが上部側をカバー本体２７ａの内面から間隔を保たせた状態で取り付けられている。そして、高さ調整カバー２７ｂは、カバー本体２７ａの内面とスライドストッパー２７ｃとの間に上下方向にスライド移動可能な状態で設置されている。また、高さ調整カバー２７ｂはカバー本体２７ａに対して所定の高さに位置調節された状態で固定ねじ（図示せず）によってカバー本体２７ａに固定されており、固定ねじの取り付け位置を変更することによりダクトカバー２７の上端部の高さを天井の高さに合わせることができる。
【００２３】
また、カバー２２ｃの平面部ＨＭにおける給排気ボックス２５内の左右方向の中央よりもやや左側部分（壁面１７から離れる方向）の後部には、排気用のＬ型ダクト３２を接続するための接続用穴部（図示せず）が設けられている。そして、フード本体２１内の後部に設けられた吸引装置３１はケーシング３３を介してカバー２２ｃの平面部ＨＭの接続用穴部に接続されており、Ｌ型ダクト３２は、カバー２２ｃの接続用穴部を介してケーシング３３に接続されている。Ｌ型ダクト３２は接続用穴部から上方に延びたのちに屈曲して壁面１７側に延びている。そして、Ｌ型ダクト３２の先端部に、排気電動シャッター３４が取り付けられ、排気電動シャッター３４の先端部に壁面１７に設けられた穴部（図示せず）を貫通して外部に延びる延長ダクト３５が接続されている。
【００２４】
排気電動シャッター３４は、Ｌ型ダクト３２に接続される円筒部３４ａと、円筒部３４ａの内面に直径方向に延びるように掛け渡され軸周り方向に回転可能な状態で取り付けられた軸部３４ｂと、軸部３４ｂに取り付けられた回転板３４ｃとで構成されている。回転板３４ｃは、直径が円筒部３４ａの内径よりもやや小さく設定された円板で構成され、軸部３４ｂは、モータ（図示せず）の作動により軸周り方向に回転可能な状態で円筒部３４ａ内に取り付けられている。このため、モータを作動させて軸部３４ｂとともに回転板３４ｃを回転させることにより、開閉を行うことができる。
【００２５】
これらの吸引装置３１、ケーシング３３、Ｌ型ダクト３２、排気電動シャッター３４および延長ダクト３５で、本発明に係る排気装置３０が構成されている。そして、吸引装置３１のモータ３１ａを作動させることによりシロッコファン３１ｂを回転させて、室内で発生する油煙等を含む空気を、フード本体２１内に吸い込んで、吸引装置３１、ケーシング３３、Ｌ型ダクト３２、排気電動シャッター３４および延長ダクト３５を通過させて外部に排出することができる。
【００２６】
また、カバー２２ｃの平面部ＨＭ上面における給排気ボックス２５内の左右方向の中央前部には、給気チャンバー４１が設けられている。この給気チャンバー４１は、図９に示したように構成されており、チャンバーホルダ４２を介してカバー２２ｃの平面部ＨＭに取り付けられている。すなわち、チャンバーホルダ４２は、左右方向に長くなった長方形の板体で構成されており、左右両側にそれぞれ上方に延びたのちに水平方向外側に向って延びる左右対称のレール部４２ａ，４２ｂが形成されている。そして、チャンバーホルダ４２は、固定部材（図示せず）によってカバー２２ｃの平面部ＨＭに固定されている。
【００２７】
また、給気チャンバー４１は、左右方向が長く高さの低い略四角箱状の水平チャンバー部４３と、水平チャンバー部４３の両側部から上方に延びる一対の垂直チャンバー部４４，４５とで構成されている。また、給気チャンバー４１の両側の下端縁部には、チャンバーホルダ４２のレール部４２ａ，４２ｂのそれぞれ対応する部分と係合可能なレール部４１ａ，４１ｂが形成されている。そして、レール部４１ａ，４１ｂの一端部をそれぞれレール部４２ａ，４２ｂの対応する他端部に係合させた状態で、給気チャンバー４１を前方から後方にスライドさせてチャンバーホルダ４２の所定位置に設置し、ねじ４２ｃで、レール部４１ａ，４１ｂとレール部４２ａ，４２ｂとの対応する部分を固定することにより、給気チャンバー４１は、チャンバーホルダ４２を介してカバー２２ｃの平面部ＨＭに取り付けられている。
【００２８】
水平チャンバー部４３は、前面が本発明に係る給気口に形成されておりその給気口枠状の固定用縁部４３ａをねじ４３ｂによってチャンバーホルダ４２に固定されている。そして、水平チャンバー部４３は、固定用縁部４３ａをフレームサイド２６ｂの切欠き凹部２６ａ内に位置させた状態で、カバー２２ｃの平面部ＨＭにおけるフレーム２６内に配置されている。また、水平チャンバー部４３の平面部ＨＭにおける中央には、給気電動シャッター４６を接続できる接続用穴部４３ｃが形成されている。なお、この接続用穴部４３ｃは、レンジフード２０の排気方向を上面（天井面）に向けた状態で設置する場合に使用するもので、このレンジフード２０においては蓋部材（図示せず）によって閉塞される。
【００２９】
垂直チャンバー部４４は、水平チャンバー部４３の左端部から上方に延びる箱状に形成されており、外側面（図示せず）が水平チャンバー部４３の底面に直交する垂直面に形成されている。そして、その外側面に、給気電動シャッター４６を接続することのできる接続用穴部（図示せず）が形成されている。この接続用穴部は、レンジフード２０の排気方向を左側面（壁面）に向けた状態でレンジフード２０を壁面に設置する場合に使用するもので、このレンジフード２０においては蓋部材によって閉塞される。また、垂直チャンバー部４５の接続用穴部４５ｂに給気電動シャッター４６が接続されている。また、給気電動シャッター４６の先端部には、壁面１７に設けられた穴部１７ａを貫通して外部に延びる延長ダクト４７が接続されている。
【００３０】
給気電動シャッター４６は、排気電動シャッター３４と同様の構成からなっており、接続用穴部４５ｂに接続される円筒部４６ａと、円筒部４６ａの内部で直径方向に延びるように取り付けられた軸部４６ｂと、軸部４６ｂを中心として円筒部４６ａ内で回転可能に取り付けられた回転板４６ｃとで構成されている。この軸部４６ｂおよび回転板４６ｃも、モータ（図示せず）の作動により軸部４６ｂの軸周り方向に回転可能な状態で取り付けられており、モータを作動させて軸部４６ｂとともに回転板４６ｃを所定角度回転させることにより、円筒部４６ａの開口を開閉することができる。
【００３１】
これらの延長ダクト４７、給気電動シャッター４６、給気チャンバー４１およびカバー本体２７ａの前面下部に設けられた複数の給気穴２８ａで、本発明の給気装置４０が構成されている。このため、室内の空気が負圧になると、外部の空気が延長ダクト４７、給気電動シャッター４６、給気チャンバー４１を通過して、給気穴２８ａから室内に導入される。また、本実施形態に係るレンジフード２０は、前述した各装置の他に、フード本体２１内に設置された電装ボックス４８や電装ボックス４８からフード本体２１の上面を貫通して外部に延びる電源コード４９も備えている。
【００３２】
この構成において、調理の際に生じる油煙等の室内から外部への除去および外部の空気の室内への導入は、つぎのようにして行われる。まず、ガスレンジ１３の加熱部１３ａ上に食材を入れた鍋等（図示せず）を載せた状態で、ガスレンジ１３のスイッチ（ガスレンジ１３の正面における操作パネル１３ｂに設けられている。）をオンにして食材を入れた鍋等を加熱するとともに、フード本体２１に設けられた操作パネル２３ｂの所定のスイッチ（モータ３１ａおよび照明具２３ａ用のスイッチ）をオンにする。
【００３３】
これによって、鍋等からは、油煙等が発生する。そして、これらの油煙等は、鍋等やガスレンジ１３の周囲に拡散しようとするが、これらの大部分は、吸引装置３１の作動によってレンジフード２０内に吸引される。この場合、室内の煙等を含む空気は、図６に矢印ａで示したように、上昇してフード本体２１の下方から、フード本体２１の開口内に入り、うずを巻くようにして収束してフード本体２１の開口からフィルター２４を通過し、フード本体２１内の後部に吸い込まれる。ついで、吸引装置３１からケーシング３３およびＬ型ダクト３２を通過して、排気電動シャッター３４内に進む。そして、その空気は、排気電動シャッター３４を通って延長ダクト３５から外部に排出される。
【００３４】
また、室内の空気が外部に排出されて室内の空気が負圧になると、外部の冷たい空気が延長ダクト４７から給気電動シャッター４６に導入される。そして、その空気は、給気電動シャッター４６を通って、給気チャンバー４１の垂直チャンバー部４５内に入る。そして、その空気は、垂直チャンバー部４５内で内側面４５ｃの内面の傾斜によって下方にガイドされ、水平チャンバー部４３の内部にスムーズな流れとなって流れていく。さらに、その空気は、水平チャンバー部４３内から給気穴２８ａを通過して室内に導入される。
【００３５】
また、給気穴２８ａから室内に流れた空気は、図６に矢印ｂで示したように、カバー２２ｃの前部側上面の曲面部ＫＭに沿って下方に流れていく。この場合、カバー２２ｃの曲面部ＫＭに沿って下方に流れる空気が冷たい空気流によるエアカーテンとなって、ガスレンジ１３や鍋等から上昇してくる油煙等を含む空気がフード本体２１の前部側上方に流れることを防止する。これによって、ガスレンジ１３や鍋等から上昇してくる油煙等を含む空気は、漏れることなく確実にフード本体２１内に案内されて吸引されていく。
【００３６】
つぎに、本実施形態に係るレンジフード２０を用いて煙を吸引させるテストを行った。このテストは、ガスレンジ１３に代えてＩＨヒータを用い、レンジフード２０を作動させながら、ＩＨヒータで線香１０本に火をつけ、線香の煙がフード本体２１内に確実に吸引されるかどうかを観察することによって行った。このテストで用いた部屋の容積は、３９．７８ｍ3で、室内の温度が２５℃、室内の湿度が５０％であった。また、部屋の各部分の隙間等には、テープ等で目張りをして気密性をよくした。そして、操作パネル２３ｂの風量ノッチを強に設定して１時間テストを行った。
【００３７】
この結果、線香の煙は、上昇してフード本体２１の外部に漏れることなくすべてフード本体２１内に吸引されていった。その際、煙は、図６に矢印ａで示したように、うずを巻きながらフード本体２１の内部で収束して吸引された。また、フード本体２１の曲面部ＫＭに沿って下降してくる冷気はエアカーテンを形成して、煙が曲面部ＫＭの前部側に漏れることを防止した。
【００３８】
以上のように、本実施形態に係るレンジフード２０は、フード本体２１の上面前部側部分を特に曲面部ＫＭで構成し、その曲面部ＫＭの後部に給気口を備えた給気チャンバー４１を設けたため、外部の空気が給気口から室内に導入されてきたときに、その空気はフード本体２１の曲面部ＫＭに沿って下方に流れる。このため、曲面部ＫＭの前部下方には、エアカーテンが形成され、このエアカーテンによってフード本体２１内に吸引される油煙等を含む室内の空気がフード本体２１の開口から漏れてフード本体２１の前部側上部に流れていくことが防止される。
【００３９】
また、給気チャンバー４１の給気口から室内に導入される外気が、室内の空気よりも温度が低いため、ガスレンジ１３から上昇してくる油煙等を含む空気をより確実にガードしてフード本体２１の内部側に送り込む。さらに、フード本体２１の平面部ＨＭに、前面下部に給気穴２８ａが設けられたダクトカバー２７を設置したため、排気装置３０や給気装置４０が外部側から見えなくなり美観が向上するようになる。また、給気穴２８ａが曲面部ＫＭの上端部のすぐ近くに設けられているため、給気チャンバー４１の給気口から吐出される空気が確実に曲面部ＫＭの上面に流れるようになり、適正なエアカーテンを形成することができる。これによって、排ガスや油煙等を含む室内の空気を確実にフード本体２１の内部に送ることができる。
【００４０】
また、ダクトカバー２７を、カバー本体２７ａと、高さ調整カバー２７ｂとで構成したため、フード本体２１の平面部ＨＭと天井面との間の長さに応じて高さ調整カバー２７ｂの高さ位置を調整することによりダクトカバー２７の上端部と天井面との間の隙間をなくすことができる。これによって、どのような場所にレンジフード２０を設置してもレンジフードと天井面との間に隙間が生じることがなくなり美観が増すようになる。また、本発明に係るレンジフードは、前述した実施形態に限定するものでなく、本発明の技術的範囲内で適宜変更して実施することができる。
【図面の簡単な説明】
【００４１】
【図１】本発明の一実施形態に係るレンジフードの設置状態を示した斜視図である。
【図２】レンジフードの平面図である。
【図３】レンジフードの内部を示した正面図である。
【図４】レンジフードを側面側から見た状態を示した断面図である。
【図５】レンジフードが設置された状態を示した正面図である。
【図６】排気と給気の流れを説明する説明図である。
【図７】ダクトカバーとフレームとの組付け状態を示した斜視図である。
【図８】レンジフードからダクトカバーを取り外した状態を示した斜視図である。
【図９】給気チャンバーを示した斜視図である。
【図１０】給気電動シャッターを給気チャンバーにおける水平チャンバー部の上面に取り付けた状態を示した斜視図である。
【符号の説明】
【００４２】
２０…レンジフード、２１…フード本体、２７…ダクトカバー、２７ａ…カバー本体、２７ｂ…高さ調整カバー、２８ａ…給気穴、３０…排気装置、３１…吸引装置、４０…給気装置、４１…給気チャンバー、ＨＭ…平面部、ＫＭ…曲面部。
【図１】
0004702845.tif 000002
【図２】
0004702845.tif 000003
【図３】
0004702845.tif 000004
【図４】
0004702845.tif 000005
【図５】
0004702845.tif 000006
【図６】
0004702845.tif 000007
【図７】
0004702845.tif 000008
【図８】
0004702845.tif 000009
【図９】
0004702845.tif 000010
【図１０】
0004702845.tif 000011